(57)【要約】  本発明は、テイクアウトなどで使用される飲料用カップを用いて事務室、家庭などで受け皿なしで容易に組み立てて使用できる環境に優しい使い捨てカップに関し、蓋が形成された使い捨てカップにおいて、前記蓋がカップの中に入るように切取線が形成され、中空管が中央に形成されることによって土と貯水槽の隔壁としての役割をし、給水された貯水槽の水が自然に土壌空隙を介して吸収されるように形成した非常に有用な発明である。【選択図】図３
2016503656.tif 000002
【特許請求の範囲】
【請求項１】
蓋が形成された使い捨てカップにおいて、
前記蓋がカップの中に入るように切取線が形成され、中空管が中央に形成されることによって土と貯水槽の隔壁としての役割をし、給水された貯水槽の水が自然に土壌空隙を介して吸収されるように形成したことを特徴とする植木鉢として使用できる環境に優しい使い捨てカップ。
【請求項２】
前記蓋には、カップ内の段または内部面に係止されるように切り取られるサイズの切取線を表示したことを特徴とする、請求項１に記載の植木鉢として使用できる環境に優しい使い捨てカップ。
【請求項３】
前記蓋に形成された一つ以上の中空管の長さ（Ｌ）は、蓋面から下部に１０ｃｍ以下で突出したことを特徴とする、請求項１に記載の植木鉢として使用できる環境に優しい使い捨てカップ。
【請求項４】
前記蓋の中央に芯を形成したことを特徴とする、請求項１に記載の植木鉢として使用できる環境に優しい使い捨てカップ。
【請求項５】
前記蓋は、互いに積層できるように、中空管が上部直径（Ｄ）から下部直径（ｄ）に行くほど小さくなるように形成したことを特徴とする、請求項１に記載の植木鉢として使用できる環境に優しい使い捨てカップ。
【請求項６】
前記蓋には、蓋を支持できるように支持用脚を形成したことを特徴とする、請求項１に記載の植木鉢として使用できる環境に優しい使い捨てカップ。
【発明の詳細な説明】
【技術分野】
【０００１】
本発明は、テイクアウトなどで使用される飲料用カップを用いて事務室、家庭などで受け皿なしで容易に組み立てて使用できる環境に優しい使い捨てカップに関する。
【背景技術】
【０００２】
近来、ブラックコーヒー、クリーム入りのコーヒー、各種お茶や飲料を各自の趣向に応じて飲めるようにテイクアウト用使い捨てカップの製品が発売されている。
【０００３】
しかし、使い捨てカップの使用者が多くなっているが、リサイクルされずにゴミ箱に捨てられるという環境問題があった。
【０００４】
また、従来の植木鉢は、植物を植えるための道具であって、合成樹脂や陶器などを用いて別途に製造されていたので、これらは、植物を植えて観賞用として観賞できるように構成されていた。そして、これらの植木鉢は、新たな材料を使用して製造されるものであって、原価が上昇すると共に、常に一定の形態を逸脱できないので、自然親和的でなかった。
【０００５】
ただし、陶器を用いた場合は、外観が美麗であり、手で直接作る際に多様な形態に製作が可能であるという長所があったが、割れ易く、且つ重いという短所があった。また、陶磁器で植木鉢を製作するには多くの段階の工程を経なければならないので、多くの時間がかかると共に、不便さが伴い、製造原価が高いという問題もあった。
【０００６】
前記植木鉢は原資材を用いて製造するので、材料費が加重され、原資材なしでは植木鉢を製造することが難しいという問題があった。
【発明の概要】
【発明が解決しようとする課題】
【０００７】
したがって、本発明の解決しようとする課題は、捨てられる蓋を有する使い捨てカップをリサイクルすることによって環境汚染を防止し、植木鉢としてリサイクルできる環境に優しい使い捨てカップを提供することを目的とする。
【０００８】
本発明の他の課題は、きれいなコーヒーカップを日常生活で植木鉢としてリサイクルすることによって、事務室、学校、家庭で資源及び費用を節減すると同時に、室内環境の改善に役立つ、植木鉢として使用できる環境に優しい使い捨てカップを提供することを目的とする。
【課題を解決するための手段】
【０００９】
本発明の解決手段は、蓋が形成された使い捨てカップにおいて、
【００１０】
前記蓋がカップの中に入るように切取線が形成され、中空管が中央に形成されることによって土と貯水槽の隔壁としての役割をし、給水された貯水槽の水が自然に土壌空隙を介して吸収されるように形成することによって達成した。
【発明の効果】
【００１１】
本発明の植木鉢として使用できる環境に優しい使い捨てカップは、コーヒーカップなどの美的感覚をそのまま活用し、事務室、学校、家庭で環境造成に寄与することによって、環境に優しく、且つ資源をリサイクルするという効果を有する。
【００１２】
既存の一般植木鉢と比較すると；
第一に、下部の排水穴をなくすことによって、水の供給時に底に水が落ちるという不便さを解決する。
【００１３】
第二に、排水穴と受け皿をなくすことによって、移動・設置などの便利さを追求した。第三に、捨てられる水を再び吸収筒を介して吸収することによって水を節約することができる。第四に、既存の植木鉢に比べて水を与える回数を２倍以上減少させることができ、既存の植木鉢に比べて水を与えなくても長く生存できるので、植木鉢の管理に便利であるという非常に優れた効果を有する。
【図面の簡単な説明】
【００１４】
【図１】本発明の好ましい実施例の植木鉢として使用できる環境に優しい使い捨てカップを示した斜視図である。
【図２】本発明の蓋を切り取り、カップの内部面に挿入して装着するための組立を示した図である。
【図３】本発明の植木鉢として使用できる環境に優しい使い捨てカップの使用状態を示した図である。
【図４】本発明のカップに形成された中空管の長さを示した状態図である。
【図５】蓋を積層するための中空管のテーパー状態を示した図である。
【図６】本発明の他の実施例のドーム型構造の蓋を示した状態図である。
【図７】本発明の更に他の実施例の蓋に芯が形成された状態を示した図である。
【図８】本発明の植物を植栽した状態を示した使用状態図である。
【図９】本発明の蓋に支持用脚を形成した状態を示した斜視図である。
【発明を実施するための形態】
【００１５】
以下、本発明の好ましい実施例の植木鉢として使用できる環境に優しい使い捨てカップを、添付の図面を参照して詳細に説明する。
【００１６】
明細書及び特許請求の範囲に使用された用語や単語は、通常的または辞典的な意味に限定して解釈してはならず、発明者は、自身の発明を最も最善の方法で説明するために用語の概念を適宜定義できるという原則に立脚して、本発明の技術的思想に符合する意味と概念で解釈しなければならない。
【００１７】
したがって、本明細書に記載した実施例と図面に示した構成は、本発明の最も好ましい一実施例に過ぎないものであって、本発明の技術的思想を全て代弁するものではないので、本出願時点において、これらに取って代わる多様な均等物と変形例があり得ることを理解しなければならない。
【００１８】
図１〜図８に示したように、本発明の植木鉢として使用できる環境に優しい使い捨てカップは、蓋が形成された使い捨てカップにおいて、前記蓋がカップの中に入るように切取線１１０が形成され、中空管１３０が中央に形成されることによって土と貯水槽の隔壁としての役割をし、給水された貯水槽の水が自然に土壌空隙を介して吸収されるように形成したことを特徴とする。
【００１９】
前記蓋１５０は、中央に中空管１３０を形成し、カップの内部に挿入できるサイズと中空管がカップの底面に接触できるサイズに切り取れるように切取線１１０を形成した。前記蓋には、ストロー１００を差し込める切取口１２０と中空管１３０を形成した。必要に応じては、中空管の切取口１２０’にストローを差し込んで使用することもできる。
【００２０】
前記蓋は、カップ２００の下部に形成した段１９０に合わせて切取線１１０に沿って切り取られ、土２２０の重さを支えることができ、土が抜け出ないようにカップ面に密着させて形成することが好ましい。
【００２１】
前記中空管１３０は、上部または下部に切取口１２０’を形成することによってストローを差し込んだり、貯水槽１６０の水１７０が上部に上がる通路を形成し、切取口１２０’は小さく形成し、土が容易に抜け出ないように形成した。図４に示したように、蓋に形成された中空管１３０の長さＬは、蓋面から下部に１０ｃｍ以下で突出するように形成することが好ましい。
【００２２】
図５に示したように、本発明の植木鉢として使用できる環境に優しい使い捨てカップは、蓋１５０を積層できるように、中空管の上部直径Ｄは大きく、下部直径ｄは小さくなるようにテーパー状態で形成し、互いに積層して嵌められるようにした。
【００２３】
図６に示した本発明の他の実施例の植木鉢として使用できる環境に優しい使い捨てカップは、蓋１５０の上部をドーム型構造で形成し、中央には中空管１３０を形成し、外郭には切取線１１０を形成することによって切り取り部分を形成した。
【００２４】
図７と図８に示した本発明の他の実施例は、前記蓋１５０の中央に芯部１８０を形成したことを特徴とする。
【００２５】
図８は、カップに植物を植栽し、貯水槽の水が芯部１８０に沿って上部に供給される状態を示す使用状態図である。
【００２６】
図９に示した本発明の他の実施例は、使い捨てカップに支持できる段が備えられない場合に多数の支持用脚１３０―１を形成し、土の荷重を受けられるように形成したことを特徴とする。
【００２７】
一般的な植物栽培用植木鉢のうち、垂直下向き式強制給水方式を採択したほとんどの植木鉢においては、植木鉢の上部表層土に水が給水され、重力によって土壌空隙を介して物理的に植物の根圏に水分が供給されるようにする方法で、水が過剰に供給される場合は、植物の根が給水される水によってストレスを受ける結果になり、水が過小に供給される場合または給水を中断する場合は、植物の根に水分が全く供給されないので、栽培されている植物が枯死することが頻繁であった。このような現象は、栽培する植物の水分要求度に対する知識に欠けた場合であり、水が過剰に供給される場合は、根に溜まっている過度な水分によって根が爛れたり腐る現象が生じ、水が過小に供給される場合は、植物の根と葉が乾く現象が生じ、その結果、植物の致死結果をもたらしてきた。
【００２８】
したがって、前記のように構成した本発明は、下部面に貯水槽が形成され、供給された水が貯水槽に貯蔵されることによって、必要に応じて水を上部に供給し、前記のような過剰供給または水分欠乏による植物の致死を防止するという非常に有用な特徴を有する。
【００２９】
本発明においては、蓋を有するカップが使用されており、前記カップと蓋としては多様な材質及び形状のものが発売されているが、本発明は、カップの蓋を用いて形成したことが本発明の特許請求の範囲に含まれることが分かり、特に、効果として、美的感覚をそのまま活用し、事務室、学校、家庭での環境造成に寄与した有用な発明である。
【図１】
2016503656.tif 000003
【図２】
2016503656.tif 000004
【図３】
2016503656.tif 000005
【図４】
2016503656.tif 000006
【図５】
2016503656.tif 000007
【図６】
2016503656.tif 000008
【図７】
2016503656.tif 000009
【図８】
2016503656.tif 000010
【図９】
2016503656.tif 000011
【国際調査報告】
2016503656.tif 000012
2016503656.tif 000013
2016503656.tif 000014
2016503656.tif 000015